【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
遊技領域を有し、当該遊技領域に向けて遊技球が打ち込まれる遊技盤と、
前記遊技盤の遊技領域に設けられ、前記遊技領域に向けて打ち込まれた遊技球を受け入れ困難な閉状態と当該閉状態よりも遊技球を受け入れ容易な開状態との間で開閉動作可能な開閉装置と、
前記遊技盤の遊技領域に設けられ、遊技球を受け入れ可能な始動口と、
前記始動口への遊技球の入球があったか否かの判断を行う始動判断手段と、
前記始動判断手段により前記始動口への遊技球の入球があった旨判断されることに基づいて特別当たりについての当落にかかる抽選処理を行う抽選手段と、
前記抽選手段により前記特別当たりが当選されることに基づいて前記開閉装置が開閉動作される特別遊技を行う特別遊技実行手段と、
前記開閉装置への遊技球の入球があったか否かの判断を行う入賞判断手段と、
前記入賞判断手段により前記開閉装置への遊技球の入球があった旨判断されたとき、遊技球の払い出しにかかる払出制御を行う払出制御手段と、を備え、
前記開閉装置は、小当たり遊技用開閉装置と大当たり遊技用開閉装置とから少なくとも構成されており、
前記小当たり遊技用開閉装置内には、該小当たり遊技用開閉装置に入球した遊技球を複数の入球口のいずれか１つに振り分け可能な振分け装置が設けられており、
前記特別当たりは、小当たり、及び該小当たりよりも遊技者にとって有利な大当たりを含むものであり、
前記特別遊技実行手段は、
前記抽選手段により前記小当たりが当選されることに基づいて、前記小当たり遊技用開閉装置が開閉動作される前記特別遊技としての小当たり遊技を実行する第１の特別遊技実行手段と、
前記第１の特別遊技実行手段により開放された前記小当たり遊技用開閉装置に入球された遊技球が前記複数の入球口のうちの特定の入球口に入球されること、及び前記抽選手段により前記大当たりが当選されること、のいずれかの条件が満たされることに基づいて、前記大当たり遊技用開閉装置が開閉動作される遊技をラウンド遊技とするとき、該ラウンド遊技が所定回数だけ連続実行される前記特別遊技としての大当たり遊技を実行する第２の特別遊技実行手段と、を備える遊技機であって、
前記遊技領域に設けられ、遊技球の受け入れまたは通過が可能な開放口と、
前記開放口への遊技球の受け入れまたは通過を検出する開放口検出手段と、
前記始動口としての主大当たり抽選用始動口、及び可動部材が動作するときにのみ遊技球の入球が可能とされる前記始動口としての主小当たり抽選用始動口と、
前記開放口検出手段により前記開放口への遊技球の受け入れまたは通過があった旨判断されることに応じて、前記主小当たり抽選用始動口への遊技球の入球が可能となるように前記可動部材の駆動制御を行う駆動制御手段と、を備え、
前記抽選手段は、
前記始動判断手段により前記主大当たり抽選用始動口への遊技球の入球があった旨判断されることに基づいて前記抽選処理を行う主大当たり抽選手段と、
前記始動判断手段により前記主小当たり抽選用始動口への遊技球の入球があった旨判断されることに基づいて前記抽選処理を行う主小当たり抽選手段と、を備えるものであり、
前記主大当たり抽選手段は、前記大当たり遊技が前記小当たり遊技を経由して行われる第１の確率よりも、前記大当たり遊技が前記大当たりの当選から直接行われる第２の確率のほうが高くなるように前記抽選処理を行うものであり、
前記主小当たり抽選手段は、前記大当たり遊技が前記大当たりの当選から直接行われる第２の確率よりも、前記大当たり遊技が前記小当たり遊技を経由して行われる第１の確率のほうが高くなるように前記抽選処理を行うものであり、
前記主大当たり抽選手段による抽選処理において前記大当たりが当選される前記第２の確率と、前記主小当たり抽選手段による抽選処理において前記大当たりが当選される前記第２の確率とは同一に設定されてなる
ことを特徴とする遊技機。
【請求項２】
前記主小当たり抽選手段は、前記始動判断手段により前記主小当たり抽選用始動口への遊技球の入球があった旨判断されることに基づいて乱数を取得し、該取得した乱数に基づいて前記抽選処理を行うものである
請求項１に記載の遊技機。
【請求項３】
前記主大当たり抽選手段は、前記始動判断手段により前記主大当たり抽選用始動口への遊技球の入球があった旨判断されることに基づいて乱数を取得し、該取得した乱数に基づいて前記抽選処理を行うものである
請求項１または２に記載の遊技機。
【手続補正２】
【補正対象書類名】明細書
【補正対象項目名】０００８
【補正方法】変更
【補正の内容】
【０００８】
こうした目的を達成するため、請求項１に記載の発明では、遊技領域を有し、当該遊技領域に向けて遊技球が打ち込まれる遊技盤と、前記遊技盤の遊技領域に設けられ、前記遊技領域に向けて打ち込まれた遊技球を受け入れ困難な閉状態と当該閉状態よりも遊技球を受け入れ容易な開状態との間で開閉動作可能な開閉装置と、前記遊技盤の遊技領域に設けられ、遊技球を受け入れ可能な始動口と、前記始動口への遊技球の入球があったか否かの判断を行う始動判断手段と、前記始動判断手段により前記始動口への遊技球の入球があった旨判断されることに基づいて特別当たりについての当落にかかる抽選処理を行う抽選手段と、前記抽選手段により前記特別当たりが当選されることに基づいて前記開閉装置が開閉動作される特別遊技を行う特別遊技実行手段と、前記開閉装置への遊技球の入球があったか否かの判断を行う入賞判断手段と、前記入賞判断手段により前記開閉装置への遊技球の入球があった旨判断されたとき、遊技球の払い出しにかかる払出制御を行う払出制御手段と、を備え、前記開閉装置は、小当たり遊技用開閉装置と大当たり遊技用開閉装置とから少なくとも構成されており、前記小当たり遊技用開閉装置内には、該小当たり遊技用開閉装置に入球した遊技球を複数の入球口のいずれか１つに振り分け可能な振分け装置が設けられており、前記特別当たりは、小当たり、及び該小当たりよりも遊技者にとって有利な大当たりを含むものであり、前記特別遊技実行手段は、前記抽選手段により前記小当たりが当選されることに基づいて、前記小当たり遊技用開閉装置が開閉動作される前記特別遊技としての小当たり遊技を実行する第１の特別遊技実行手段と、前記第１の特別遊技実行手段により開放された前記小当たり遊技用開閉装置に入球された遊技球が前記複数の入球口のうちの特定の入球口に入球されること、及び前記抽選手段により前記大当たりが当選されること、のいずれかの条件が満たされることに基づいて、前記大当たり遊技用開閉装置が開閉動作される遊技をラウンド遊技とするとき、該ラウンド遊技が所定回数だけ連続実行される前記特別遊技としての大当たり遊技を実行する第２の特別遊技実行手段と、を備える遊技機であって、前記遊技領域に設けられ、遊技球の受け入れまたは通過が可能な開放口と、前記開放口への遊技球の受け入れまたは通過を検出する開放口検出手段と、前記始動口としての主大当たり抽選用始動口、及び可動部材が動作するときにのみ遊技球の入球が可能とされる前記始動口としての主小当たり抽選用始動口と、前記開放口検出手段により前記開放口への遊技球の受け入れまたは通過があった旨判断されることに応じて、前記主小当たり抽選用始動口への遊技球の入球が可能となるように前記可動部材の駆動制御を行う駆動制御手段と、を備え、前記抽選手段は、前記始動判断手段により前記主大当たり抽選用始動口への遊技球の入球があった旨判断されることに基づいて前記抽選処理を行う主大当たり抽選手段と、前記始動判断手段により前記主小当たり抽選用始動口への遊技球の入球があった旨判断されることに基づいて前記抽選処理を行う主小当たり抽選手段と、を備えるものであり、前記主大当たり抽選手段は、前記大当たり遊技が前記小当たり遊技を経由して行われる第１の確率よりも、前記大当たり遊技が前記大当たりの当選から直接行われる第２の確率のほうが高くなるように前記抽選処理を行うものであり、前記主小当たり抽選手段は、前記大当たり遊技が前記大当たりの当選から直接行われる第２の確率よりも、前記大当たり遊技が前記小当たり遊技を経由して行われる第１の確率のほうが高くなるように前記抽選処理を行うものであり、前記主大当たり抽選手段による抽選処理において前記大当たりが当選される前記第２の確率と、前記主小当たり抽選手段による抽選処理において前記小当たりが当選される前記第２の確率とは同一に設定されてなることをその要旨とする。
また、請求項２に記載の遊技機は、請求項１に記載の遊技機において、前記主小当たり抽選手段は、前記始動判断手段により前記主小当たり抽選用始動口への遊技球の入球があった旨判断されることに基づいて乱数を取得し、該取得した乱数に基づいて前記抽選処理を行うものであることを要旨とする。
また、請求項３に記載の遊技機は、請求項１または２に記載の遊技機において、前記主大当たり抽選手段は、前記始動判断手段により前記主大当たり抽選用始動口への遊技球の入球があった旨判断されることに基づいて乱数を取得し、該取得した乱数に基づいて前記抽選処理を行うものであることを要旨とする。